(57)【要約】【課題】原稿から画像を読み取って取得した画像データの保存場所を確保しつつ、可搬型記憶手段に記憶されているデータの保存場所も確保できるようにする。【解決手段】画像処理装置は、原稿から画像を読み取って画像データを取得する画像読取部６１と、画像データの記憶媒体１００への記憶及びサーバ２０への送信の何れかを操作により選択可能にし、画像データの記憶媒体１００への記憶が選択されたときには、記憶媒体１００に記憶されているデータの削除及びサーバ２０への移動の少なくとも何れかを操作により選択可能にする操作パネル６３と、操作パネル６３における選択結果を基に、記憶媒体１００に記憶されているデータの削除及びサーバ２０への移動の少なくとも何れかの処理を行うとともに、画像データの記憶媒体１００への記憶及びサーバ２０への送信の何れかの処理を行うデータ管理処理部５１と、を備える。【選択図】図１
2011199452.tif 000002
【特許請求の範囲】
【請求項１】
原稿から画像を読み取って画像データを取得する取得手段と、
前記画像データの前記可搬型記憶手段への記憶及び通信手段を介したデータの取り出しが可能な記憶装置への送信の何れかを操作により選択可能にし、前記画像データの可搬型記憶手段への記憶が選択されたときには、前記可搬型記憶手段に記憶されているデータの削除及び前記記憶装置への移動の少なくとも何れかを操作により選択可能にする選択手段と、
前記選択手段の選択結果を基に、前記可搬型記憶手段に記憶されているデータの削除及び前記記憶装置への移動の少なくとも何れかの処理を行うとともに、前記画像データの前記可搬型記憶手段への記憶及び前記記憶装置への送信の何れかの処理を行うデータ処理手段と、
を備える処理装置。
【請求項２】
前記選択手段は、前記画像データのデータサイズが前記可搬型記憶手段の空き容量よりも大きいとき、前記可搬型記憶手段に記憶されているデータの削除及び前記記憶装置への移動の少なくとも何れかを操作により選択可能にする請求項１に記載の処理装置。
【請求項３】
前記選択手段は、前記可搬型記憶手段に記憶されているデータの一部の削除及び該データの一部の前記記憶装置への移動の何れかを操作により選択可能にする請求項１又は２に記載の処理装置。
【請求項４】
前記記憶装置に移動するデータの条件を操作により設定させる移動条件設定手段を備え、
前記データ処理手段は、前記移動条件設定手段で設定された条件を基に、前記可搬型記憶手段に記憶されているデータを選定して前記記憶装置に移動する請求項１乃至３の何れか１項に記載の処理装置。
【請求項５】
前記可搬型記憶手段からデータを削除する条件を操作により設定させる削除条件設定手段を備え、
前記データ処理手段は、前記削除条件設定手段で設定された条件を基に、前記可搬型記憶手段に記憶されているデータを選定して削除する請求項１乃至４の何れか１項に記載の処理装置。
【請求項６】
原稿から画像を読み取って画像データを取得する取得手段と、
前記画像データの前記可搬型記憶手段への記憶及び通信手段を介したデータの取り出しが可能な記憶装置への送信の何れかを操作により選択可能にし、前記画像データの可搬型記憶手段への記憶が選択されたときには、前記可搬型記憶手段に記憶されているデータの削除及び前記記憶装置への移動の少なくとも何れかを操作により選択可能にする選択手段と、
前記選択手段の選択結果を基に、前記可搬型記憶手段に記憶されているデータの削除及び前記記憶装置への移動の少なくとも何れかの処理を行うとともに、前記画像データの前記可搬型記憶手段への記憶及び前記記憶装置への送信の何れかの処理を行うデータ処理手段と、
をコンピュータに実行させるコンピュータに読取可能な制御プログラム。
【発明の詳細な説明】
【技術分野】
【０００１】
本発明は、処理装置及び制御プログラムである。
【背景技術】
【０００２】
特許文献１には、可搬型記憶装置の空き容量が一時記憶手段に記憶されている読取画像データの容量未満のときは、可搬型記憶装置に記憶されている既記憶データを表示手段に表示し、表示手段に表示された既記憶データの中から受付手段によって受け付けられた入力に基づいて選択されたデータを削除するとともに、可搬型記憶装置の空き容量が一時記憶手段に記憶されている読取画像データの容量以上のときは、可搬型記憶装置に一時記憶手段に記憶されている画像データを送信する画像処理装置が開示されている。
【先行技術文献】
【特許文献】
【０００３】
【特許文献１】特開２００８−６６９３４号公報
【発明の概要】
【発明が解決しようとする課題】
【０００４】
本発明の目的は、原稿から画像を読み取って取得した画像データの保存場所を確保しつつ、可搬型記憶手段に記憶されているデータの保存場所も確保できるようにすることである。
【課題を解決するための手段】
【０００５】
請求項１に係る発明は、原稿から画像を読み取って画像データを取得する取得手段と、前記画像データの前記可搬型記憶手段への記憶及び通信手段を介したデータの取り出しが可能な記憶装置への送信の何れかを操作により選択可能にし、前記画像データの可搬型記憶手段への記憶が選択されたときには、前記可搬型記憶手段に記憶されているデータの削除及び前記記憶装置への移動の少なくとも何れかを操作により選択可能にする選択手段と、前記選択手段の選択結果を基に、前記可搬型記憶手段に記憶されているデータの削除及び前記記憶装置への移動の少なくとも何れかの処理を行うとともに、前記画像データの前記可搬型記憶手段への記憶及び前記記憶装置への送信の何れかの処理を行うデータ処理手段と、を備える処理装置である。
【０００６】
請求項２に係る発明は、請求項１の記載において、前記選択手段は、前記画像データのデータサイズが前記可搬型記憶手段の空き容量よりも大きいとき、前記可搬型記憶手段に記憶されているデータの削除及び前記記憶装置への移動の少なくとも何れかを操作により選択可能にする処理装置である。
【０００７】
請求項３に係る発明は、請求項１又は２の記載において、前記選択手段は、前記可搬型記憶手段に記憶されているデータの一部の削除及び該データの一部の前記記憶装置への移動の何れかを操作により選択可能にする処理装置である。
【０００８】
請求項４に係る発明は、請求項１乃至３の何れか１項の記載において、前記記憶装置に移動するデータの条件を操作により設定させる移動条件設定手段を備え、前記データ処理手段は、前記移動条件設定手段で設定された条件を基に、前記可搬型記憶手段に記憶されているデータを選定して前記記憶装置に移動する処理装置である。
【０００９】
請求項５に係る発明は、請求項１乃至４の何れか１項の記載において、前記可搬型記憶手段からデータを削除する条件を操作により設定させる削除条件設定手段を備え、前記データ処理手段は、前記削除条件設定手段で設定された条件を基に、前記可搬型記憶手段に記憶されているデータを選定して削除する処理装置である。
【００１０】
請求項６に係る発明は、原稿から画像を読み取って画像データを取得する取得手段と、前記画像データの前記可搬型記憶手段への記憶及び通信手段を介したデータの取り出しが可能な記憶装置への送信の何れかを操作により選択可能にし、前記画像データの可搬型記憶手段への記憶が選択されたときには、前記可搬型記憶手段に記憶されているデータの削除及び前記記憶装置への移動の少なくとも何れかを操作により選択可能にする選択手段と、前記選択手段の選択結果を基に、前記可搬型記憶手段に記憶されているデータの削除及び前記記憶装置への移動の少なくとも何れかの処理を行うとともに、前記画像データの前記可搬型記憶手段への記憶及び前記記憶装置への送信の何れかの処理を行うデータ処理手段と、をコンピュータに実行させるコンピュータに読取可能な制御プログラムである。
【発明の効果】
【００１１】
請求項１、６に係る発明によれば、画像データの保存場所を選択可能に確保しつつ、可搬型記憶手段に記憶されているデータの保存場所も確保できる。
請求項２に係る発明によれば、画像データのデータサイズが可搬型記憶手段の空き容量よりも大きいとき、使用者は、可搬型記憶手段に記憶されているデータの保存場所として記憶装置を選択できるようになる。
【００１２】
請求項３に係る発明によれば、可搬型記憶手段に記憶されているデータの一部を削除したり、移動したりすることを使用者が選択できる。
請求項４に係る発明によれば、このような構成がない場合と比較して、使用者の意思に合致したデータを短い時間で選定し削除できる。
請求項５に係る発明によれば、このような構成がない場合と比較して、使用者の意思に合致したデータを短い時間で選定し移動できる。
【図面の簡単な説明】
【００１３】
【図１】第１の実施形態の画像処理システムの概略構成を示すブロック図である。
【図２】システム制御部の処理を示すフローチャートである。
【図３】操作パネルの表示部における各種処理の選択画面の表示例を示す図である。
【図４】ステップＳ２８の処理のサブルーチンを示すフローチャートである
【図５】送信データ情報の例を示す図である。
【図６】サーバに送信されたデータをＰＣにダウンロードするための処理を示すフローチャートであり、ＰＣ側の処理を示すものである。
【図７】サーバに送信されたデータをＰＣにダウンロードするための処理を示すフローチャートであり、サーバ側の処理を示すものである。
【図８】第２の実施形態における処理を示すフローチャートである。
【図９】ステップＳ１２８及びステップＳ１２９の処理の具体例を示すフローチャートである。
【図１０】データを送信した後のＵＳＢメモリの空き容量が画像データのデータサイズよりも少ない表示例を示す図である。
【図１１】データを送信した後のＵＳＢメモリの空き容量が画像データのデータサイズよりも多い表示例を示す図である。
【図１２】比較例の処理を示すフローチャートである。
【発明を実施するための形態】
【００１４】
本発明を適用した第１の実施形態の画像処理システムを説明する。
図１は、第１の実施形態の画像処理システム１の概略構成を示すブロック図である。
図１に示すように、画像処理システム１は、画像処理装置１０、サーバ２０、及びＰＣ（パーソナルコンピュータ）３０を有する。この画像処理システム１では、画像処理装置１０、サーバ２０、及びＰＣ３０がＬＡＮ（Local Area Network）やインターネット等の通信手段４０を介して通信可能に接続されている。
【００１５】
画像処理装置１０は、システム制御部５０、画像読取部６１、画像形成部６２、操作パネル６３、記憶媒体Ｉ／Ｆ（インターフェース）６４、認証媒体Ｉ／Ｆ６５、画像処理部６６、ＨＤＤ６７、ＦＡＸＩ／Ｆ６８、及び通信部６９を有する。
【００１６】
システム制御部５０は、画像処理装置１０全体について各種処理を行う。画像読取部６１は、原稿から画像を読み取って画像データを生成する。画像処理部６６は、画像読取部６１が生成した画像データに対してシェーディング補正等の各種の画像処理を施す。ＨＤＤ６７は、画像処理部６６により処理された画像データが記憶される。画像形成部６２は、画像データに基づいて、不図示の印刷装置により印刷媒体に画像を形成する。例えば、印刷装置は、電子写真方式やインクジェット記録方式等の印刷方式により印刷媒体に画像を形成する。
【００１７】
操作パネル６３は、使用者に通知する内容を表示する表示部（表示画面）６３ａと使用者の指示内容が入力される入力部とを一体として有する。記憶媒体Ｉ／Ｆ６４は、記録媒体１００が着脱可能な形状をなす。記憶媒体Ｉ／Ｆ６４は、装着された記録媒体１００に対するデータの送受信を行う。認証媒体Ｉ／Ｆ６５は、認証媒体（例えばＩＤカード）１１０に対するデータの送受信を行う。ＦＡＸＩ／Ｆ６８は、一般公衆回線を利用してファクシミリ通信を行う。通信部６９は、通信手段４０に対してデータの送受信を行う。
【００１８】
サーバ２０は、各種データを管理する記憶装置である。例えば、サーバ２０は、通信手段４０を介して画像処理装置１０から送信されてくる画像データ等の各種データを管理する。また、サーバ２０は、通信手段４０に接続されているＰＣ３０との間でデータの送受信を行うことができる。
このような構成の画像処理システム１では、画像処理装置１０は、画像読取部６１で原稿を読み取って取得した画像データを記憶媒体Ｉ／Ｆ６４に装着された記憶媒体１００（例えばＵＳＢメモリ）に記憶することができる。
【００１９】
そして、記憶媒体の空き容量が少ない場合には、記憶媒体内のデータを削除してから、画像データを記憶媒体に記憶させることができる。
しかし、このような構成だと、重要であるなどの理由により記憶媒体１００内のデータを削除できないとすると、画像データを記憶媒体１００に記憶させることができなくなってしまう。
【００２０】
これに対して、本実施形態では、記憶媒体１００の空き容量が少ない場合でも、記憶媒体１００内に記憶されていたデータを消去することなく、記憶媒体１００に画像データを記憶させることができる。
【００２１】
以下にそれを実現する本実施形態の構成等を説明する。
システム制御部５０は、図１に示すように、データ管理処理部５１、画像読取処理部５２、及び記憶部５３を有する。
記憶部５３には、画像処理装置１０で用いるプログラム５３ａやデータが記憶されている。
【００２２】
ここで、プログラム５３ａは、画像処理装置の出荷時当初から記憶部５３に記憶されているものとすることもできるが、出荷後に使用者等の作業によりＣＤ−ＲＯＭ等の記憶媒体から読み込まれて記憶部５３に記憶されたものとすることもできる。
【００２３】
図２は、このシステム制御部５０の処理を示すフローチャートである。図２を用いてシステム制御部５０の処理に沿って、図１に示すシステム制御部５０の各構成部の処理を説明する。
図２に示すように、先ずステップＳ１１において、画像読取処理部５２は、操作パネル６３からの入力情報に基づいて、使用者が画像読み取りの処理の実行を選択したか否かを判定する。
【００２４】
図３は、操作パネル６３の表示部６３ａにおける各種処理の選択画面の表示例を示す。図３に示すように、操作パネル６３の表示部６３ａには、「サービスメニュー」６３ａ１として、「コピー」６３ａ２、「ＦＡＸ」６３ａ３、「デジカメプリント」６３ａ４及び「スキャン」６３ａ５が表示されている。このような表示画面において「スキャン」６３ａ５（読取処理）が選択されたとき、画像読取処理部５２は、画像読み取りの処理の実行が選択されたと判定する。
【００２５】
画像読取処理部５２は、画像読み取りの処理の実行が選択されたと判定したとき、ステップＳ１２に進む。
続くステップＳ１２において、画像読取処理部５２は、画像読み取り処理に関係するレジスタやメモリを初期化する。
続くステップＳ１３において、データ管理処理部５１は、記憶媒体Ｉ／Ｆ６４に装着されている記憶媒体１００（例えばＵＳＢメモリ）の空き容量の情報を取得する。
【００２６】
例えば、表示画面において前述のように「スキャン」が選択されたとき、表示画面に、使用者に画像処理装置１０の装着部に記憶媒体を装着させるための表示をする。これに対応して、使用者は、記憶媒体１００等の記憶媒体を画像処理装置１０の装着部に装着する。
続くステップＳ１４において、データ管理処理部５１は、前記ステップＳ１３で取得した空き容量が零か否かを判定する。データ管理処理部５１は、空き容量が零と判定すると、ステップＳ２３に進む。また、データ管理処理部５１は、空き容量が零でないと判定すると、ステップＳ１５に進む。
【００２７】
ステップＳ１５では、画像読取処理部５２は、画像を読み取る処理を行う。
続くステップＳ１６において、画像読取処理部５２は、前記ステップＳ１５で読み取った画像の画像データ（画像ファイル）を生成し、生成した画像データをＨＤＤ６７に保存する。このとき、画像読取処理部５２は、画像処理部６６を制御して、画像読取部６１が生成した画像データに対して各種の画像処理を施している。また、画像データの保存先を、ワークメモリとすることもできる。
【００２８】
続くステップＳ１７において、データ管理処理部５１は、前記ステップＳ１６で保存した画像データのデータサイズ（データ容量）の情報を取得する。
続くステップＳ１８において、データ管理処理部５１は、前記ステップＳ１３で取得した記憶媒体１００の空き容量が前記ステップＳ１７で取得した画像データのデータサイズ（全データサイズ）以上か否か判定する。データ管理処理部５１は、記憶媒体１００の空き容量が画像データのデータサイズ以上（空き容量≧データサイズ）と判定すると、ステップＳ１９に進む。また、データ管理処理部５１は、記憶媒体１００の空き容量が画像データのデータサイズ未満（空き容量＜データサイズ）と判定すると、ステップＳ２５に進む。
【００２９】
ステップＳ１９では、データ管理処理部５１は、前記ステップＳ１６で保存した画像データを記憶媒体１００に書き込む。
続くステップＳ２０において、画像読取処理部５２は、他に読み取る原稿が有るか否かを判定する。画像読取処理部５２は、他に読み取る原稿が有ると判定すると、例えば、使用者が再度読み取り開始の操作をしたとき、前記ステップＳ１３から再び処理を開始する。また、画像読取処理部５２は、他に読み取る原稿が無いと判定すると、前記ステップＳ２１に進む。
【００３０】
ステップＳ２１では、データ管理処理部５１は、記憶媒体１００への画像データの書き込みが終了したときに、記憶媒体１００を取り外し可能にする処理を行う。
続くステップＳ２２において、データ管理処理部５１は、記憶媒体１００を取り外し可能にする処理が終了したときに、操作パネル６３の表示部６３ａに記憶媒体１００が取り外し可能になったことを示す表示をする。
【００３１】
一方、ステップＳ２３では、データ管理処理部５１は、操作パネル６３の表示部６３ａに、記憶媒体１００の空き容量が無い内容を表示する。そして、データ管理処理部５１は、その表示とともに、操作パネル６３の表示部６３ａに、読み取り処理を終了するか否かを使用者に選択操作させるための表示をする。
【００３２】
続くステップＳ２４において、データ管理処理部５１は、操作パネル６３からの入力情報に基づいて、使用者が読み取り処理を終了する操作をしたか否かを判定する。データ管理処理部５１は、読み取り処理を終了する操作がなされたと判定すると、前記ステップＳ２１に進む。また、データ管理処理部５１は、読み取り処理を終了しない操作がなされたと判定すると、すなわち、読み取り処理を継続する操作がなされたとき、前記ステップＳ２５に進む。
【００３３】
ステップＳ２５では、データ管理処理部５１は、記憶媒体１００内に既に記憶されているデータ（以下、既記憶データという。）からサーバ２０に移動するデータを使用者に選択操作させるため、既記憶データの情報（データ名等）の一覧を操作パネル６３の表示部６３ａに表示する。このとき、データ管理処理部５１は、データ一覧内のデータを選択可能に表示する。
【００３４】
続くステップＳ２６及びステップＳ２７において、データ管理処理部５１は、使用者がデータの選択を終了する操作をしたと判定するまで、例えば、使用者が操作パネル６３に対してデータの選択の終了又は確定の操作をするまで、操作パネル６３からの入力情報に基づいて、選択されたデータの情報を取得する。そして、データ管理処理部５１は、データの選択が終了したと判定したとき、ステップＳ２８に進む。
【００３５】
ステップＳ２８では、データ管理処理部５１は、前記ステップＳ２６で選択されたデータをサーバ２０に移動（送信）する処理を行う。この処理については、後で詳述する。
続くステップＳ２９において、データ管理処理部５１は、記憶媒体１００の空き容量の情報を再び取得する。
【００３６】
続くステップＳ３０において、データ管理処理部５１は、ＨＤＤ６７等に保存されている画像データのデータサイズが零か否かを判定する。データ管理処理部５１は、ＨＤＤ６７等に保存されている画像データのデータサイズが零と判定すると、原稿の読み取りを開始するため、前記ステップＳ１４から再び処理を開始する。また、データ管理処理部５１は、ＨＤＤ６７等に保存されている画像データのデータサイズが零でないと判定すると、すなわち、既に原稿が読み取られているとき、前記ステップＳ１８から再び処理を開始する。
【００３７】
図４は、前記ステップＳ２８の処理のサブルーチンを示すフローチャートである。
図４に示すように、先ずステップＳ５１において、データ管理処理部５１は、操作パネル６３の表示部６３ａに、使用者にデータ送信方式を設定させるための表示をする。具体的には、データ管理処理部５１は、パスワードの設定の有無、設定するパスワード、及び暗号化の有無等の画像処理装置１０からサーバ２０に送信するデータの送信方式に関する情報を設定可能に表示する。
【００３８】
なお、このとき、メールアドレス等をＩＤとして設定することを要求することもできる。
続くステップＳ５２において、データ管理処理部５１は、前記ステップＳ５１で設定された情報を基に、パスワード設定の選択がなされているか否かを判定する。データ管理処理部５１は、パスワード設定の選択がなされていると判定すると、ステップＳ５３に進む。また、データ管理処理部５１は、パスワード設定の選択がなされていないと判定すると、ステップＳ５６に進む。
【００３９】
ステップＳ５３では、データ管理処理部５１は、前記ステップＳ５１で設定された情報を基に、暗号化するか否かを判定する。データ管理処理部５１は、暗号化すると判定すると、ステップＳ５４に進む。また、データ管理処理部５１は、暗号化しないと判定すると、ステップＳ５４を飛ばし、ステップＳ５５に進む。
ステップＳ５４では、データ管理処理部５１は、前記ステップＳ５１で設定されたパスワードを基に、データを暗号化する。
【００４０】
続くステップＳ５５において、データ管理処理部５１は、送信するデータに前記ステップＳ５１で設定されたパスワードを付加する。データ管理処理部５１は、暗号化されているデータであれば（前記ステップＳ５４）、その暗号化データにさらにパスワードを付加する。
続くステップＳ５６において、データ管理処理部５１は、送信データ情報を出力する。具体的には、データ管理処理部５１は、使用者の操作に応じて、送信データ情報が印刷された印刷媒体を印刷装置から出力する。
【００４１】
図５は、印刷装置又はモニター出力される送信データ情報の例を示す。
図５に示すように、送信データ情報には、「ファイル名」（データ名）１２１、「パスワード」１２２、「転送日時」１２３、及び「サーバ格納有効期限」１２４が含まれている。
続くステップＳ５７において、データ管理処理部５１は、前記ステップＳ２６で選択されたデータ又は前記ステップＳ５５でパスワードを付加したデータをサーバ２０に送信する。
【００４２】
続くステップＳ５８において、データ管理処理部５１は、サーバ２０へのデータ送信が完了したときに、操作パネル６３の表示部６３ａにデータ送信が完了したことを示す表示をする。
続くステップＳ５９において、データ管理処理部５１は、送信データに対応する記憶媒体１００内の既記憶データを削除する。
【００４３】
図６及び図７は、サーバ２０に送信されたデータをＰＣ３０にダウンロードするための処理を示すフローチャートである。図６は、ＰＣ３０側の処理を示し、図７は、サーバ２０側の処理を示す。
先ず、ＰＣ３０側の処理から説明すると、図６に示すように、先ずステップＳ７１乃至ステップＳ７３において、ＰＣ３０では、インターネットブラウザが起動され、サーバ２０のＵＲＬが入力されると、そのサーバ２０に接続される。
【００４４】
そして、ＰＣ３０は、ステップＳ７４においてモニターにパスワードの入力表示がなされ、ステップＳ７５においてパスワードが入力されると、ステップＳ７６においてモニターにファイルリストが表示される。ここで、画像処理装置１０からサーバ２０にデータを送信する際にＩＤ（例えばメールアドレス等）を設定している場合には、パスワードとともにＩＤを入力する必要がある。
【００４５】
そして、ＰＣ３０では、ステップＳ７７においてファイルリストからファイルの選択がされて、ステップＳ７８においてファイルの選択を終了すると、ステップＳ７９において選択したファイルをダウンロードする。
【００４６】
一方、サーバ２０側では、図７に示すように、サーバ２０は、ステップＳ９１においてファイルの送信要求待ち状態になっており、送信要求があると、ステップＳ９２においてその送信要求のあったＰＣ３０に、パスワード入力表示をさせるためのパスワード入力表示情報を送信する。
【００４７】
そして、サーバ２０は、ステップＳ９３においてＰＣ３０からパスワードが送信されてくると、ステップＳ９４においてそのパスワードが正しいか否かを判定する。例えば、サーバ２０は、画像処理装置１０から受け取ったファイルをパスワードとともに管理しており、このパスワードとＰＣ３０から送信されてきたパスワードとを比較する。サーバ２０は、パスワードが正しいと判定すると、ステップＳ９５に進む。また、サーバ２０は、パスワードが誤っていると判定すると、パスワードを再度入力させるため、前記ステップＳ９２から再び処理を開始する。
【００４８】
ステップＳ９５では、サーバ２０は、選択可能なファイルからなるファイルリストをモニターに表示させるためのファイルリスト表示情報をＰＣ３０に送信する。
そして、サーバ２０は、ステップＳ９６においてファイル選択情報を受信すると、ステップＳ９７においてファイル選択情報に応じたファイルをＰＣ３０に送信する。その後、サーバ２０は、前記ステップＳ９１に戻ってファイルの送信要求待ち状態になる。
【００４９】
以上のように画像処理システムは構成されており、その動作等は次のようになる。
画像処理装置１０は、使用者により画像読み取りの開始操作がなされると、原稿から画像を読み取って、その画像データをＨＤＤ６７等に一時的に記憶する（ステップＳ１１、ステップＳ１２、ステップＳ１５、ステップＳ１６）。そして、画像処理装置１０は、その画像データのデータサイズを取得する（ステップＳ１７）。
【００５０】
そして、画像処理装置１０は、先に取得している記憶媒体Ｉ／Ｆ６４に装着されている記憶媒体１００の空き容量が画像データのデータサイズ以上のとき、その画像データを記憶媒体１００に書き込み、他に読み取り原稿がなければ、使用者が記憶媒体１００を取り外せるようにする処理を行う（ステップＳ１３、ステップＳ１８乃至ステップＳ２２）。
また、画像処理装置１０は、記憶媒体１００の空き容量が零の場合には、操作パネル６３の表示部６３ａに記憶媒体１００の空き容量が無いことを示す表示をし（ステップＳ２３）、使用者により読み取り処理を終了する操作がなされたときに（ステップＳ２４）、使用者が記憶媒体１００を取り外せるようにする処理を行う（ステップＳ２１、ステップＳ２２）。一方、画像処理装置１０は、使用者により読み取り処理を継続する操作がなされれば（ステップＳ２４）、記憶媒体１００内の既記憶データのうちサーバ２０に移動するデータを使用者に選択操作させるためにデータ一覧表示をする（ステップＳ２５）。また、画像処理装置１０は、記憶媒体１００の空き容量が画像データのデータサイズ未満のときも、このようなデータ一覧表示をする（ステップＳ１８、ステップＳ２５）。このデータ一覧表示により、使用者は、記憶媒体１００の空き容量が少ないために、この記憶媒体１００に画像データを記憶させることができないことを知ることができる。
【００５１】
画像処理装置１０は、このようなデータ一覧表示に対応して使用者がサーバ２０に移動するデータを選択すると（ステップＳ２６、ステップＳ２７）、その選択されたデータをサーバ２０に移動（送信）する処理を行う（ステップＳ２８、図４参照）。そして、画像処理装置１０は、データをサーバ２０に移動した後の記憶媒体１００の空き容量の情報を再び取得して（ステップＳ２９）、この取得した記憶媒体１００の空き容量に基づき処理を再開する（ステップＳ３０）。
【００５２】
これにより、使用者は、自己のＰＣを操作して、画像処理装置１０からサーバ２０に移動させたデータ（記憶媒体１００に記憶されていた既記憶データ）を取り出せる（図６、図７参照）。
以上のように、第１の実施形態では、画像処理装置１０は、画像データのデータサイズが記憶媒体１００の空き容量よりも大きい場合、記憶媒体１００内の既記憶データのデータ一覧を表示して記憶媒体１００に画像データを記憶できないことを報知している（ステップＳ２５）。
【００５３】
このとき、画像処理装置１０は、使用者による記憶媒体１００内の既記憶データの選択を可能にし、選択された既記憶データをサーバ２０に移動している（ステップＳ２５乃至ステップＳ２８）。
これにより、使用者は、記憶媒体１００の空き容量が少ない場合でも、記憶媒体１００内の既記憶データをサーバ２０に移動すること（後にＰＣ３０で取り出すこと）で消去することもなく、画像データをも入手することができる。
【００５４】
次に第２の実施形態の画像処理システムを説明する。
第２の実施形態では、記憶媒体の空き容量がない場合に、記憶媒体内の既記憶データを削除したり、記憶媒体内の既記憶データをサーバに送信したりすることを選択可能にしている。
【００５５】
図８は、第２の実施形態における処理を示すフローチャートである。
なお、図８に示す処理において、第１の実施形態における図２の処理と同一符号を付してあるものについては、特に言及しない限りは第１の実施形態における図２の処理と同様になる。
図８に示すように、第２の実施形態では、新たな処理として、ステップＳ１１１乃至ステップＳ１１５、ステップＳ１２１乃至ステップＳ１３０を追加している。以下では、この追加処理について主に説明する。
【００５６】
ステップＳ１２に続くステップＳ１１１において、データ管理処理部５１は、操作パネル６３の表示部６３ａに、使用者に画像データの格納先を設定させるための設定画面を表示する。ここで、設定画面には、格納先として、サーバ及び記憶媒体の何れかが選択できるように表示される。
【００５７】
続くステップＳ１１２において、データ管理処理部５１は、操作パネル６３からの入力情報を基に、格納先として記憶媒体が選択されたか否かを判定する。データ管理処理部５１は、記憶媒体が選択されたと判定すると、ステップＳ１３に進む。また、データ管理処理部５１は、サーバが選択されたと判定すると、ステップＳ１１３に進む。
【００５８】
ステップＳ１１３では、画像読取処理部５２は、前記ステップＳ１５と同様な処理として、画像を読み取る処理を行う。
続くステップＳ１１４において、画像読取処理部５２は、前記ステップＳ１６と同様な処理として、前記ステップＳ１１３で読み取った画像の画像データをＨＤＤに保存する。
続くステップＳ１１５において、データ管理処理部５１は、ステップＳ２８と同様な処理として、前記ステップＳ１１４で保存された画像データをサーバ２０に移動（送信）する処理を行う（図４参照）。
【００５９】
また、ステップＳ２５に続くステップＳ１２１において、データ管理処理部５１は、操作パネル６３の表示部６３ａに、使用者に空き容量を確保する方策を選択操作させるための設定画面を表示する。ここで、設定画面には、記憶媒体中の既記憶データを削除する方策及び既記憶データをサーバに移動する方策の何れかが選択できるように表示される。例えば、ステップＳ２５及びステップＳ１２１の処理として、データ管理処理部５１は、データ一覧内のデータを選択可能に表示するとともに、空き容量を確保する方策を選択可能に表示する。
【００６０】
続くステップＳ１２２において、データ管理処理部５１は、操作パネル６３からの入力情報を基に、既記憶データを削除する方策が選択されたか否かを判定する。データ管理処理部５１は、既記憶データを削除する方策が選択されたと判定すると、ステップＳ１２３に進む。また、データ管理処理部５１は、サーバに移動する方策が選択されたと判定すると、ステップＳ１２８に進む。
【００６１】
続くステップＳ１２３及びステップＳ１２４において、データ管理処理部５１は、使用者が削除するデータの選択を終了する操作をしたと判定するまで、例えば、使用者が操作パネル６３に対してデータの選択の終了又は確定の操作をするまで、操作パネル６３からの入力情報に基づいて、選択されたデータの情報を取得する。そして、データ管理処理部５１は、データの選択が終了したと判定したとき、ステップＳ１２５に進む。
【００６２】
ステップＳ１２５では、データ管理処理部５１は、記憶媒体１００内の既記憶データのうち前記ステップＳ１２３で選択されたデータを削除する。
続くステップＳ１２６において、データ管理処理部５１は、前記ステップＳ２９と同様な処理として、記憶媒体１００の空き容量の情報を取得する。
【００６３】
続くステップＳ１２７において、データ管理処理部５１は、前記ステップＳ３０と同様な処理として、ＨＤＤ６７等に保存されている画像データのデータサイズが零か否かを判定する。データ管理処理部５１は、ＨＤＤ６７等に保存されている画像データのデータサイズが零と判定すると、原稿を読み取るため、前記ステップＳ１４から再び処理を開始する。また、データ管理処理部５１は、ＨＤＤ６７等に保存されている画像データのデータサイズが零でないと判定すると、前記ステップＳ１８から再び処理を開始する。
【００６４】
一方、ステップＳ１２８及びステップＳ１２９において、データ管理処理部５１は、使用者がサーバに送信するデータの選択を終了する操作をしたと判定するまで、例えば、使用者が操作パネル６３に対してデータの選択の終了又は確定の操作をするまで、操作パネル６３からの入力情報に基づいて、選択されたデータの情報を取得する。そして、データ管理処理部５１は、データの選択が終了したと判定したとき、ステップＳ１３０に進む。
【００６５】
なお、このステップＳ１２８及びステップＳ１２９の処理については後で詳述する。
ステップＳ１３０では、データ管理処理部５１は、前記ステップＳ２８と同様な処理として、前記ステップＳ１２８で選択されたデータをサーバ２０に移動（送信）する処理を行う（図４参照）。そして、データ管理処理部５１は、前記ステップＳ１２６に進む。
図９は、前記ステップＳ１２８及びステップＳ１２９の処理（サーバに送信する方策が選択された場合の処理）の具体例を示すフローチャートである。
【００６６】
図９に示すように、先ずステップＳ１５１において、データ管理処理部５１は、操作パネル６３の表示部６３ａに、使用者にデータの送信方法を設定操作させるための設定画面を表示する。ここで、設定画面には、記憶媒体中の既記憶データ全てを送信する方法及びその一部を送信する方法が選択可能に表示される。
【００６７】
続くステップＳ１５２において、データ管理処理部５１は、操作パネル６３からの入力情報を基に、記憶媒体内の既記憶データ全てを送信する方法が選択されたか否かを判定する。データ管理処理部５１は、既記憶データ全てを送信する方法が選択されたと判定すると、ステップＳ１５３に進む。また、データ管理処理部５１は、既記憶データの一部を送信する方法が選択されたと判定すると、ステップＳ１５７に進む。
【００６８】
ステップＳ１５３では、データ管理処理部５１は、記憶媒体１００内の全ての既記憶データを選択する。
続くステップＳ１５４において、データ管理処理部５１は、操作パネル６３の表示部６３ａに、先の処理で選択したデータの一覧を表示する。
続くステップＳ１５５において、データ管理処理部５１は、操作パネル６３の表示部６３ａに、前記ステップＳ１５４で一覧に表示したデータをサーバ２０に送信した場合（記憶媒体１００から削除した場合）の記憶媒体１００の容量を文字、図形等を用いて表示する。
【００６９】
図１０及び図１１は、その表示例を示す。
図１０は、データを送信した後の記憶媒体１００の空き容量を示すレベル１３１が画像データのデータサイズを示すレベル１３２よりも小さいことを示す表示例である。また、図１１は、データを送信した後の記憶媒体１００の空き容量のレベル１３１が画像データのデータサイズを示すレベル１３２よりも大きいことを示す表示例である。
【００７０】
続くステップＳ１５６において、データ管理処理部５１は、操作パネル６３からの入力情報を基に、使用者が選択を確定する操作をしたか否かを判定する。データ管理処理部５１は、選択を確定する操作がなされたと判定すると、該図９（ステップＳ１２８及びステップＳ１２９）の処理を終了する。これにより、データ管理処理部５１は、ステップＳ１３０の処理に進む。また、データ管理処理部５１は、選択を確定する操作がなされていないと判定すると、例えば図１０のような表示を見た使用者がデータの選択を最初からやりなおすようなとき、前記ステップＳ１５１から再び処理を開始する。
【００７１】
ステップＳ１５７では、データ管理処理部５１は、操作パネル６３の表示部６３ａに、使用者に送信するデータの選択条件を選択させるための設定画面を表示する。ここで、設定画面には、条件として日時及びデータサイズの何れかが選択操作できるように表示される。
【００７２】
続くステップＳ１５８において、データ管理処理部５１は、操作パネル６３からの入力情報を基に、条件として日時が選択されたか否かを判定する。データ管理処理部５１は、日時が選択されたと判定すると、ステップＳ１５９に進む。また、データ管理処理部５１は、データサイズが選択されたと判定すると、ステップＳ１６０に進む。
【００７３】
ステップＳ１５９では、データ管理処理部５１は、予め設定されている個数や期間の条件（例えば管理者によりなされた初期設定の条件）で、日時の古いデータを選択する。そして、データ管理処理部５１は、ステップＳ１５４に進む。これにより、ステップＳ１５４では、データ管理処理部５１は、操作パネル６３の表示部６３ａに、その日時の条件で選択したデータの一覧を表示する。
【００７４】
ステップＳ１６０では、データ管理処理部５１は、予め設定されているデータサイズの条件（例えば管理者によりなされた初期設定の条件）で、サイズの大きいデータを選択する。そして、データ管理処理部５１は、ステップＳ１５４に進む。これにより、ステップＳ１５４では、データ管理処理部５１は、操作パネル６３の表示部６３ａに、そのデータサイズの条件で選択したデータの一覧を表示する。
【００７５】
以上にように第２の実施形態の画像処理システムは構成されており、その動作等は次のようになる。
特に、第２の実施形態では、画像処理装置１０は、画像データの格納先として記憶媒体又はサーバの何れかを使用者に選択操作させており、使用者が画像データの格納先としてサーバが選択されたとき、画像データを処理当初からサーバ２０に移動（送信）する処理を行う（ステップＳ１１１乃至ステップＳ１１５、図４参照）。
【００７６】
また、画像処理装置１０は、使用者が画像データの格納先として記憶媒体を選択した場合でも、記憶媒体内の既記憶データの削除又は既記憶データのサーバへの移動の何れかを操作により選択可能にしている（ステップＳ１２１、１２２）。具体的には、画像処理装置１０は、記憶媒体１００の空き容量が零のときや記憶媒体１００の空き容量が画像データのデータサイズ未満のときに、空き容量を確保する方策として、記憶媒体内の既記憶データの削除又は既記憶データのサーバへの移動の何れかを選択可能にしている（ステップＳ１２１、１２２）。
【００７７】
これにより、画像処理装置１０は、記憶媒体１００内の既記憶データのうち使用者に選択された既記憶データを削除したり、サーバ２０に移動したりする（ステップＳ１２２乃至ステップＳ１３０）。
さらに、画像処理装置１０は、空き容量を確保する方策としてサーバに移動する方策が選択された場合には、日時の条件やデータサイズの条件を操作により選択可能にしている（ステップＳ１２８、ステップＳ１２９、図９参照）。
【００７８】
これにより、画像処理装置１０は、記憶媒体１００内の既記憶データのうち使用者により選択された条件に従って選定した既記憶データをサーバ２０に移動している（ステップＳ１２２乃至ステップＳ１３０）。
【００７９】
以上のように、第２の実施形態では、画像処理装置１０は、画像データのデータサイズが記憶媒体１００の空き容量よりも大きい場合、記憶媒体１００内の既記憶データのデータ一覧を表示して記憶媒体１００に画像データを記憶できないことを報知している（ステップＳ２５）。
【００８０】
このとき、画像処理装置１０は、記憶媒体内の既記憶データの削除又は既記憶データのサーバへの移動の何れかを操作により選択可能にしている（ステップＳ１２１、１２２）。これにより、画像処理装置１０は、記憶媒体１００内の既記憶データのうち使用者により選択された既記憶データを削除したり、サーバ２０に移動したりしている（ステップＳ１２２乃至ステップＳ１３０）。
【００８１】
これにより、画像処理装置１０では、画像データの保存場所として記憶媒体１００又はサーバ２０の何れかを選択可能に確保しつつ、画像データの保存場所として記憶媒体１００が選択された場合でも、記憶媒体１００内の既記憶データの保存場所を確保し、既記憶データを消去しないようにしている。
【００８２】
この結果、使用者は、記憶媒体１００の空き容量が少ない場合でも、記憶媒体１００内の既記憶データをサーバ２０に移動すること（後にＰＣで取り出すこと）で消去することもなく、画像データをも入手することができる。
【００８３】
図１２は、本実施形態に対する比較例の画像処理装置の処理を示すフローチャートである。
図１２に示すように、比較例の画像処理装置は、画像を読み取る処理を行い、画像データを生成し、その画像データを記憶している（ステップＳ２０１、ステップＳ２０２）。そして、比較例の画像処理装置は、その画像データのデータサイズの情報を取得するとともに、記憶媒体の空き容量の情報を取得している（ステップＳ２０３、ステップＳ２０４）。
【００８４】
この結果、比較例の画像処理装置は、記憶媒体の空き容量が画像データのデータサイズ以上の場合、記憶媒体に画像データをＨＤＤ等に記憶している（ステップＳ２０５、ステップＳ２０６）。また、比較例の画像処理装置は、記憶媒体の空き容量が画像データのデータサイズ未満の場合、記憶媒体内の既記憶データを削除させるための表示処理等を行い（ステップＳ２０７）、これにより記憶媒体内の既記憶データが削除されたり（ステップＳ２１１）、記憶媒体が交換されたりしたときには（ステップＳ２０９）、再び記憶媒体の空き容量の情報の取得（ステップＳ２０４）から処理を行う。また、比較例の画像処理装置は、中止が選択されたときには、該処理を終了する（ステップＳ２１０）。
【００８５】
このように、比較例の画像処理装置は、記憶媒体の空き容量が少ない場合には、記憶媒体内の既記憶データを削除してから、画像データを記憶媒体に記憶させている。
しかし、このような構成だと、重要であるなどの理由により記憶媒体内の既記憶データが削除できないとすると、画像データを記憶媒体に記憶させることができなくなってしまう。すなわち、使用者は、画像データを入手できなくなってしまう。
【００８６】
このような比較例に対して、本実施形態の画像処理装置１０は、画像データの保存場所として記憶媒体１００が選択された場合でも、記憶媒体１００内の既記憶データの保存場所を確保できるになっている。よって、使用者は、記憶媒体１００の空き容量が少ない場合でも、記憶媒体１００内の既記憶データをサーバ２０に移動することで消去することもなく、画像データをも入手することができる。
【００８７】
また、前述のように、画像処理装置１０は、記憶媒体内の既記憶データのうち選択された一部を削除したり、サーバ２０に移動したりしている（ステップＳ１２３、ステップＳ１２４、ステップＳ１２８、ステップＳ１２９）。
これにより、使用者は、重要性等の観点から、必要に応じて、記憶媒体１００内の既記憶データの一部を削除したり、サーバ２０に移動したりすることができる。
【００８８】
また、前述のように、画像処理装置１０では、選択するデータの条件を選択可能にし、その選択された条件を基に、記憶媒体１００内の既記憶データをサーバ２０に移動している（図９）。
これにより、画像処理装置１０は、このような条件を設定しない場合と比較して、使用者の意思に合致したデータを短い時間で選定しサーバ２０に移動できる。
【００８９】
なお、前述の実施形態では、送受信手段として記憶媒体Ｉ／Ｆ６４を用いている。また、取得手段として画像読取部６１を用いている。また、選択手段として操作パネル６３を用いている。また、データ処理手段としてデータ管理処理部５１を用いている。また、可搬型記憶手段として記憶媒体１００等の記憶媒体を用いている。
なお、前述の実施形態の変形例として次のようなものが挙げられる。
【００９０】
実施形態の変形例として、画像処理装置１０にサーバ２０としての機能をもたせても良い。
また、実施形態の変形例として、記憶媒体１００から既記憶データを削除する場合についても、削除するデータの条件（例えばデータサイズ、日時）を使用者により選択可能にしても良い。
【００９１】
これにより、画像処理装置１０は、条件を設定しない場合と比較して、使用者の意思に合致したデータを短い時間で選定し削除することができる。
また、実施形態の変形例として、使用者の選択により、記憶媒体１００内の既記憶データの一部を削除するとともに、記憶媒体１００内の既記憶データの他の一部をサーバ２０に移動させても良い。
【００９２】
また、本実施形態の変形例として、記憶媒体１００を他の媒体、例えば、スマートメディア等としても良い。
また、本実施形態の変形例として、無線により記憶媒体１００に対するデータの送受信を行っても良い。
また、前述のような各種処理を実現可能とするコンピュータの制御プログラムを通信手段４０により提供することはもちろん、ＣＤ−ＲＯＭ等の記憶媒体に格納して提供しても良い。
【符号の説明】
【００９３】
１  画像処理システム、１０  画像処理装置、５０  システム制御部、５１  データ管理処理部、６１  画像読取部、６３  操作パネル、６４  記憶媒体Ｉ／Ｆ、１００  記憶媒体
【図１】
2011199452.tif 000003
【図２】
2011199452.tif 000004
【図３】
2011199452.tif 000005
【図４】
2011199452.tif 000006
【図５】
2011199452.tif 000007
【図６】
2011199452.tif 000008
【図７】
2011199452.tif 000009
【図８】
2011199452.tif 000010
【図９】
2011199452.tif 000011
【図１０】
2011199452.tif 000012
【図１１】
2011199452.tif 000013
【図１２】
2011199452.tif 000014